(57)【要約】【課題】  ユーザが行う情報機器の設定や、設定変更を、ユーザが望む値に容易に行えるようにする。【解決手段】  外部の識別情報を読み取る識別情報読取部１２と、上記読取った外部の識別情報と、予め記憶している識別情報テーブル中の識別情報とを照合する記憶済み検索機能１６と、該照合結果で一致する識別情報があると、この識別情報に対応する機器設定テーブル中の設定値に情報機器の値を設定する値設定機能１７と、をもつ制御部１５、とを備えた。【選択図】        図１
2005341189.tif 000002
【特許請求の範囲】
【請求項１】
外部の識別情報を読み取る識別情報読取部と、
上記読取った外部の識別情報と、予め記憶している識別情報テーブル中の識別情報とを照合する記憶済み検索機能と、該照合結果で一致する識別情報があると、該識別情報に対応する値設定テーブル中の設定値に情報機器の値を設定する値設定機能と、をもつ制御部、とを備えたことを特徴とする簡易設定情報機器。
【請求項２】
制御部は、読取った外部の識別情報が記憶している識別情報と一致しない場合に、設定問合せをすることを特徴とする請求項１記載の簡易設定情報機器。
【請求項３】
制御部は、識別情報処理方法の決定機能を持ち、外部の識別情報を読取ると、上記識別情報処理方法の決定機能により、優先して処理方法を問合せるようにしたことを特徴とする請求項１記載の簡易設定情報機器。
【請求項４】
制御部は、処理方法を問合せる状態で、所定の操作入力により直ちに値設定テーブル中の設定値に情報機器の設定をすることを特徴とする請求項３記載の簡易設定情報機器。
【請求項５】
固有の識別情報を持つ無線情報タグと、
上記無線情報タグが持つ識別情報を読み取る識別情報読取部と、該読取った無線情報タグの識別情報と予め記憶している識別情報テーブル中の識別情報とを照合する記憶済み検索機能と、該照合結果で一致する識別情報があると対応する値設定テーブル中の設定値に情報機器の値を設定する値設定機能と、をもつ制御部、とを備えた情報機器と、
で構成されることを特徴とする情報機器簡易設定システム。
【請求項６】
外部の識別情報を読み取る識別情報読取ステップと、
上記読取りステップで読取った外部の識別情報と、予め記憶している識別情報テーブル中の識別情報とを照合する照合検索ステップと、
上記照合した結果、一致する識別情報があると、該識別情報に対応する値設定テーブル中の設定値に情報機器の値を設定する設定変更ステップ、とをもつことを特徴とする情報機器簡易設定方法。
【発明の詳細な説明】
【技術分野】
【０００１】
この発明は、携帯用情報機器と設定用の識別タグとを用いて、多数の設定用タグの中からユーザが必要とする識別タグの情報を得て、そのタグ情報から直ちにユーザが望む携帯用情報機器の設定状態を得るようにする携帯用情報機器の設定方式に関するものである。
【背景技術】
【０００２】
従来の携帯型情報機器は、その機器に付帯するメニューやボタン等をユーザが手動で操作することで、その機器の置かれた状況（コンテキスト）に併せた設定変更を行っていた。例えば、会議場にいる時は携帯電話のメニューを操作してマナーモードに変更したり、自動車を運転中は運転モードに変更したりという具合に設定変更を行う。
しかしこの操作が１アクション（例えばあるボタンを長押しする）の場合は、ユーザは高い確率で実施してくれるが、操作が２アクション以上（例えば、メニューで一覧を表示、カーソルで選択し、決定ボタンを押す）かかる場合は、ユーザの感じるストレスが極端に大きくなり、実施をしてくれる確率も下がると考えられる。
そこでこれを自動化する技術として、携帯電話の置かれた状況に関する情報や位置情報を外部から受信して携帯電話の設定変更に利用する、例えば特許文献１に示される技術や、携帯電話の設定情報そのものを外部から供給することで設定変更を行う、例えば特許文献３に示される技術などがあるが、いずれも既に標準として第三者により決められた情報によって設定変更を行う技術が示されている。
【０００３】
こうした設定とは全く関係ないが、無線ＩＤタグと位置情報をあらかじめ関連付けておき、携帯機器で通路に設置したこれらの無線ＩＤタグの情報を読み取り、当該ＩＤと関連付けられた位置情報を検索することで、その携帯機器が居る位置を特定し、方向等をガイドする、例えば特許文献２に示される方法も知られている。
しかしこの方法も、位置情報が外部で策定した情報に基づくことから、必ずしもユーザ固有の情報が得られない可能性がある。
さらに、Ｍｉｃｒｏｓｏｆｔ社のＷｉｎｄｏｗｓ（登録商標）  ＸＰに搭載されている「Ｍｅｄｉａ  Ｓｅｎｓｅ」の様に、通信ネットワークの接続手順の過程で得られる情報を基に、ユーザが持つパーソナル・コンピュータの一部の機器設定（特にネットワーク設定）を切替る技術もある。しかしこの方法でも、当該ネットワークに接続する以前、または当該ネットワーク範囲外、もしくは当該ネットワーク範囲内のより細分化された範囲の状況（例えば家庭内全体が１つの無線ＬＡＮネットワークでカバーされている場合においての、自分の部屋にある机の上）を特定することは困難である。ましてそれらの位置に対応する細かな機器設定を行うことは困難である。
【特許文献１】特開２００２−２７１８６６号公報
【特許文献２】特開２００１−３３８３８５号公報
【特許文献３】特開２００１−７８２６３号公報
【発明の開示】
【発明が解決しようとする課題】
【０００４】
従来の機器設定方式は上記のように構成されており、第三者によって策定された情報、もしくは第三者の定めた統一されたフォーマットに従った方法で設定を行う。従って第三者が想定した以外の状況には対処できないし、ユーザ固有の要求にも対応できない、という課題がある。
【０００５】
この発明は上記のような課題を解決するためになされたもので、ユーザが行う情報機器の設定や、設定変更を、ユーザが望むとおりに容易に行えることを目的とする。
【課題を解決するための手段】
【０００６】
この発明に係る簡易設定情報機器は、外部の識別情報を読み取る識別情報読取部と、
上記読取った外部の識別情報と、予め記憶している識別情報テーブル中の識別情報とを照合する記憶済み検索機能と、該照合結果で一致する識別情報があると、この識別情報に対応する機器設定テーブル中の設定値に情報機器の値を設定する値設定機能と、をもつ制御部、とを備えた。
【発明の効果】
【０００７】
この発明によれば、識別情報読取部と、記憶済み検索機能と、値設定機能とを備えたので、種々の位置や状況に対応してユーザが望む木目細かな設定値を、単にその位置や状況対応に設置した情報タグとの対応付けにより簡易に設定できる効果がある。
【発明を実施するための最良の形態】
【０００８】
実施の形態１．
ユーザが望む、木目細かな機器設定が容易に行える装置とシステムを図に基づいて説明する。
図１は、この発明の実施の形態１における携帯情報機器の設定システムを示す全体の構成図である。この図１において、携帯情報機器１は設定対象となる携帯情報機器であり、無線ＩＤタグ２はユーザが望んでいる、位置とか状況に置かれて、対応する設定を行うための識別子となるタグである。また無線通信基地局３はユーザが携帯情報機器１を用いて通信ネットワーク４に接続されている他の端末等と交信を行う際の交信窓口である。
【０００９】
図１の携帯情報機器１は、以下の構成要素を持つ。即ちプロセッサ（ＣＰＵ）１０、無線ＩＤタグ２との通信に使用するアンテナ１１、無線ＩＤタグの識別情報を読み取る無線ＩＤリーダ（識別情報読取）部１２、ユーザが携帯情報機器に対して手動で情報を入力するユーザ操作部１３、制御部１５と無線通信基地局３との通信を行う無線通信インタフェース（Ｉ／Ｆ）部１４、外部Ｉ／Ｆ等を備えた制御部１５、制御部１５中にあって、無線ＩＤリーダ部１２で読み取ったＩＤ情報と記憶メモリ１８上にあらかじめ記録されているＩＤ情報との照合を行う記憶済みＩＤ検索エンジン（機能）１６、複数の機器設定値の登録および管理をする値設定エンジン（機能）１７、制御部１５からの音声出力を外部に出力するスピーカ１９、外部からの音声入力を制御部１５に入力するマイク２０、制御部１５からの画像情報を表示する表示部２１、である。
無線ＩＤタグ２は、無線ＩＤリーダ部１２からの電波放射に応答して内蔵するＩＤ情報を返信する機能を持つ。
無線通信基地局３は、携帯情報機器１の無線通信Ｉ／Ｆ部１４および通信ネットワーク４の双方と通信を行い、互いの通信の媒介を行う装置である。
【００１０】
次にユーザが予め決めた機器の設定で携帯情報機器が動作するまでを、図２の識別情報テーブルと図３の値設定テーブルの例と、図４の動作フローにより説明する。
無線ＩＤタグ２は様々な位置、状況に対応して設置または貼り付けられていて、それぞれ固有の識別情報が保持されている。従ってそれぞれの無線ＩＤタグは、他の無線ＩＤタグとは情報が異なるので、外部からこの無線ＩＤタグ２をアクセスすれば、対応する特定の情報、無線ＩＤ番号２２が得られる。この無線ＩＤタグ２は、それ自体では電源を持たなくてもよく、外部から無線ＩＤリーダ部１２がアンテナ１１により出力する誘導起電力を受信して、動作用の電源となって保持している内部の情報を出し、これを無線ＩＤリーダ部１２が読み取るようになっている。
無線ＩＤタグ２は、あらかじめ様々な製品の中や、製品の流通過程で製品に付加されるタグやラベルなどの中に実装される。ユーザは、これらの製品の中やタグ、ラベル等に無線ＩＤタグ２が実装されていることを知っている。
【００１１】
本実施の形態における携帯情報機器１は、まずプロセッサ１０が制御部１５を起動して、無線ＩＤリーダ部１２から無線ＩＤタグ２の情報を読み取る。具体的には、アンテナ１１、または携帯情報機器１全体を無線ＩＤタグ２に近づけて無線通信が可能な距離以下にまで接近すると、アンテナ１１から電波が放射される。この放射電波により無線ＩＤタグ２の動作が開始され、あらかじめ無線ＩＤタグ２の中に登録されていたＩＤ情報が自動的に送信される。無線ＩＤリーダ部１２は、図４のステップＳ２１でこれを読み取り、直ちに制御部１５へ受信情報を通知する。制御部１５はこの受信情報を受けると、無線ＩＤリーダ部１２に一時的に保持されているこの無線ＩＤタグ情報を読み出し、メモリ１８に記憶する。
次に、プロセッサ１０は、制御部１５にある記憶済みＩＤ検索エンジン１６を呼び出し、Ｓ２２でメモリ１８に記憶済みのＩＤ情報との照合を行う。図２はメモリ１８中に記憶されたＩＤ情報テーブルの例を示す図である。このとき受信したＩＤタグ情報と、図２のＩＤ情報テーブルにおける無線ＩＤ番号２２のどれかとが一致した場合は、更にＳ２３で、この情報と予め関連付けられた図３に示す値設定テーブルのデータがメモリ１８内にあるかどうかを再度検索する。例えば無線ＩＤ番号２２が「ＡＢＡＣ６ＡＣ８」であり、設定情報のエントリ名３２ａが自宅の机の上３２ｂであれば、図３の項目３１における設定エントリ名３２ａである自宅の机の上３２ｂに一致する。そして検索が終了すると、プロセッサ１０にその旨通知し、記憶済みＩＤ検索エンジン１６は処理を完了する。
【００１２】
上記で、受信したＩＤと同一のＩＤ情報と関連した値設定テーブルにデータがあった場合は、プロセッサ１０は、値設定エンジン１７を呼び出し、検索の結果ヒットした値設定テーブルのデータへのリンク情報を示し、現在の値から当該データ値に機器設定を変更するように指示する。図３はメモリ１８中に記憶された値設定テーブルの例を示す図である。上記の例ではＳ２４で、携帯情報機器１を値設定テーブルの項目３１に記憶・保存された設定値３２の値に設定する指示を出す。
値設定エンジン１７は、プロセッサ１０からの指示と機器設定データへのリンク情報とを受け、メモリ１８から該当する値設定テーブルのデータを読取り、携帯情報機器１内部の各種設定をその値に変更する。変更が完了すると、携帯機器設定エンジン１７はプロセッサ１０に変更が完了した旨と処理結果を示し、処理を完了する。
変更処理が成功した場合、Ｓ２５でプロセッサ１０はスピーカ１９を介して成功音を発し、表示部２１を介して「機器設定が変更された」という旨のメッセージを出力する。このときメッセージに代え、スピーカ１９から発せられる成功音は、「ＸＸＸという設定に変更しました。」という会話音声を出力してもよい。
【００１３】
上記のＳ２２での記憶済みＩＤ検索エンジンによる検索で、受信したＩＤと同一のＩＤ情報に関連するデータにヒットしなかった場合は、Ｓ２６でプロセッサ１０はスピーカ１９を介してアラーム音を発し、表示部２１に「受信した無線ＩＤに関連した機器設定は記憶されていなかった」という旨のメッセージを出力する。さらに、表示部２１にはユーザに対して「受信した無線ＩＤと関連付ける設定情報を選択せよ」という旨のメッセージと、選択可能な設定情報のリスト一覧を出力する。
ユーザは上記表示部２１に表示されたメッセージを確認し、具体的にはキー等で構成されるユーザ操作部１３を操作する。またはユーザ操作部の代わりの入力部として、マイク２０に音声で、例えば「ＸＸＸという設定に関連付ける」、と入力し、別途内蔵した音声認識エンジンで解釈して行うようにしてもよい。
【００１４】
プロセッサ１０は、ユーザ操作部１３からの入力に応じて無線ＩＤと関連付ける設定情報を決定し、受信した無線ＩＤ情報と、決定した設定情報へのリンクを値設定エンジン１７に示し、これら２つの情報を関連付けて記憶するように指示する。Ｓ２７で値設定エンジン１７は、プロセッサ１０からの関連付け指示を受け、指定されたＩＤ番号と設定情報の関連付けを行い、メモリ１８に記憶する。これにより、今回受信した無線ＩＤが次回受信された際、関連付けられた値設定テーブルの値を呼び出すことができる。
以上のように、無線ＩＤタグのＩＤ情報とその設置場所をユーザがわかり易い方法で関連付けられ、かつ無線ＩＤタグに携帯情報機器を近づけるというごく簡単な動作だけで携帯情報機器の設定を切り替えられるようにしているので、機器設定の変更作業を簡略化し、かつユーザの所望する状況にベストマッチした設定変更を行うことができる。
【００１５】
例えば、自宅のベッドがダブルベッドであった場合、２つ以上のＩＤタグを互いに離れた場所に設置しておき、複数のユーザが互いに別々のＩＤタグを使用する様にすることで、第三者の想定する位置情報の定義方法としては「自宅２階南側にある部屋のベッドの上」までしか表すことができなかったとしても、「そのベッド右側の棚の上」という、より細分化されたユーザ固有の位置特定要求に応えることができる。さらに、「そのベッドの枕の横」に取り付けられたＩＤタグとも関連付けを行うことにより、「棚の上」の時は目覚ましアラームを鳴らさないが、「枕の横」に置いた時だけはアラームを鳴らしたい、という木目細かな要求にも応えられる。
また、これらのＩＤタグを必ずしも「場所」と関連付けなくとも、ユーザがＩＤタグをメモ帳、財布や鞄などの普段持ち歩くものに複数個貼り付けて持ち歩き、その場の状況に応じてユーザがＩＤタグを使い分けることにより、これまでメニュー操作などで行ってきた設定切り替えの手順を大幅に省力化することができる。
さらに、本発明では、無線ＩＤタグに必ず含まれるＩＤ情報のみを使用する方法を取るため、位置情報取得用としてユーザに提供された以外の無線ＩＤタグを２次利用することも可能であり、エコロジーの面でも効果的である。
【００１６】
実施の形態２．
以上の実施形態１では、無線ＩＤタグのＩＤ情報を受信した際、必ず機器設定行うようにしたものであるが、次に無線ＩＤタグから得られる情報の処理方法を機器設定の変更以外にも使用する場合を説明する。
図５は、このような場合の、図２に示す記憶済みＩＤ情報テーブルの拡張例を示す図である。また図６は、このような場合の無線ＩＤタグ処理手順の状態遷移を示す図である。
【００１７】
次に動作について説明する。
本実施の形態では、図６で初期化が完了後、Ｓ４１による初期化完了イベントによって無線ＩＤ情報受信待ち状態となったあと、Ｓ２１によるＩＤ情報受信イベントによっていきなりＳ２２ないしＳ２４の機器設定変更処理へと移行せず、Ｓ４３のＩＤ情報処理方法の決定処理に移行する。
ＩＤ情報処理方法の決定処理では、図５のテーブルに示す記憶済みＩＤ情報の中から受信した無線ＩＤ番号５１の検索を行う。受信したＩＤ情報にヒットするエントリがテーブル中の無線ＩＤ番号５１として見つかると、同じエントリに含まれる、ＩＤ受信時の処理方法５２の項目を参照する。このとき、「機器設定変更処理」を行うように記述されていた場合、その無線ＩＤ番号によるＳ２４のＩＤ情報処理方法の決定処理に移行する。
【００１８】
このＩＤ情報処理方法の決定処理における処理の決定方法として、ユーザがある特定のボタンを押しながら無線ＩＤ情報を受信させた場合には、上記の図５に示す記憶済みＩＤ情報テーブルからＩＤ受信時の処理方法５２を参照することより優先して、必ず「Ｓ２６のユーザへの処理方法問い合わせ」等の、優先設定した処理に移行させるという方法を採用してもよい。
機器設定変更処理での処理は、実施形態１の処理と同一であるため、ここでは説明を省略する。
またその際に、Ｓ２６でユーザへの処理方法問い合わせを行った後、ユーザが特定のキーを押下すると、予め設定してある図５の設定情報のエントリ名５３に合致する図３の保存された設定値３２の値になるよう処理を行うようにしてもよい。こうすることで、Ｓ２６の処理方法を問合せ、かつワンタッチ操作のキー押下で所定のＳ２４での設定値に変更することもできる。
【００１９】
また、上記ＩＤ情報処理方法決定処理において受信したＩＤ番号の検索の結果、当該するＩＤの処理方法が「ユーザへの処理方法問合せ」と記述されていた場合、図６におけるＳ２６の処理方法問合せ処理に移行する。
処理方法問合せ処理では、ユーザに対して当該ＩＤの処理方法を都度問合せる。これは、当該する無線ＩＤタグの利用方法が、ユーザから見て複数通りある（ＩＤタグの意味づけが複数ある）場合に有効である。例えばユーザが普段持ち歩くカバンのＩＤタグであった場合、ユーザからみて当該ＩＤタグは移動中の状況を示すものと位置づけたいときもあるし、そのカバンのメンテナンス情報を得るためのキーとして利用したいときも想定されるためである。
例えば、上記のカバンの例において、ユーザが処理方法問合せ処理の問合せに応じて「無線ＩＤ情報検索処理」を選択すると、処理はＳ４５の無線ＩＤ情報検索処理に移行する。無線ＩＤ情報検索処理では、（他の先行技術と同様の方法で）携帯情報機器内のメモリ１８に蓄えられた情報、もしくは図１の無線通信Ｉ／Ｆ部から無線通信基地局３を経由して通信ネットワーク４上につながれた他の情報機器に対してＩＤ情報の検索処理を依頼し、その検索結果から当該カバンのメンテナンス情報にアクセスするための情報を得る。
【００２０】
また、図６におけるＳ４４の「標準化された手順による機器設定変更処理」とは、従来例として説明した特許文献１や、特許文献２などで示される様な、標準化された形式で提供される位置情報や、その携帯機器が置かれたコンテキストに関する情報を無線ＩＤタグの中に予め記録されている場合の処理方法を示す。
本発明による実施の形態１では、この方法によらず無線ＩＤタグのＩＤ番号のみを検出する方法としているため、これら標準化された手順による機器設定変更が行えなかったが、この実施の形態２では、図５に示したテーブルにおけるＩＤ受信時の処理方法５２の値に「標準化された手順による機器設定変更処理」と示しておくことで、標準化された手順の処理も選択することが可能である。
以上の様に、実施の形態２では、Ｓ４３のＩＤ番号の処理方法を決定する処理を追加したことにより、本発明による実施形態１の処理方法を含む複数の無線ＩＤ処理方法をユーザが選択でき、かつ操作手順を省力化して行うことができる。
【００２１】
実施の形態３．
上記各実施の形態では、携帯情報機器１は専用の記憶済みＩＤ検索エンジン１６と値設定エンジン１７とを持つ構成として説明したが、これらの構成要素として、図４の動作フロー図に示される各ステップの機能をソフトウェアのプログラムで実現する構成としてもよい。
このようにしても、上記各実施の形態における専用の構成要素による携帯情報機器と同じ効果が得られる。
【図面の簡単な説明】
【００２２】
【図１】この発明の実施の形態１における携帯情報機器の設定システムを示す全体の構成図である。
【図２】実施の形態１におけるＩＤ情報テーブルの例を示す図である。
【図３】実施の形態１における機器設定データテーブルの例を示す図である。
【図４】実施の形態１における携帯情報機器の動作を示すフロー図である。
【図５】この発明の実施の形態２におけるＩＤ情報テーブルの例を示す図である。
【図６】実施の形態２における携帯情報機器の動作遷移を示す図である。
【符号の説明】
【００２３】
１  携帯情報機器、２  無線ＩＤタグ、３  無線通信基地局、４  通信ネットワーク、１０  プロセッサ（ＣＰＵ）、１１  アンテナ、１２  無線ＩＤリーダ部、１３  ユーザ操作部、１４  無線通信Ｉ／Ｆ部、１５  制御部、１６  記憶済みＩＤ検索エンジン、１７  値設定エンジン、１８  メモリ、１９  スピーカ、２０  マイク、２１  表示部、２２  無線ＩＤ番号、３１  項目、３２  保存された設定値、５１  無線ＩＤ番号、５２  ＩＤ受信時の処理方法、５３  設定情報のエントリ名、Ｓ２１  ＩＤ情報読取ステップ、Ｓ２２  ＩＤ情報の照合ステップ、Ｓ２３  設定検索ステップ、Ｓ２４  設定変更ステップ、Ｓ２５  成功通知ステップ、Ｓ２６  設定問合せステップ、Ｓ２７  入力値記憶ステップ、Ｓ４３  ＩＤ情報処理方法の決定処理ステップ。
【図１】
2005341189.tif 000003
【図２】
2005341189.tif 000004
【図３】
2005341189.tif 000005
【図４】
2005341189.tif 000006
【図５】
2005341189.tif 000007
【図６】
2005341189.tif 000008